【手続補正書】
【提出日】平成19年12月7日(2007.12.7)
【手続補正１】
【補正対象書類名】特許請求の範囲
【補正対象項目名】全文
【補正方法】変更
【補正の内容】
【特許請求の範囲】
【請求項１】
サーバーとユーザコンピュータとがネットワークを介して接続された処理システムで実行される方法であって、
前記ユーザコンピュータがユーザからの問合せを受信するステップと、
前記サーバーが、関連付けられた選択候補(ピック)をもつサーチ結果を、前記ネットワークを介して伝送された問合せに対応して提供するステップと、
前記ユーザコンピュータが、サーチ結果を参照するユーザ要求を受信するステップと、
前記サーバーは、前記ネットワークを介して前記ユーザ要求により参照された１つ以上のサーチ結果を前記ユーザコンピュータに転送し前記ユーザに当該サーチ結果を提供するステップと、
を備えた方法。
【請求項２】
前記関連付けは選択候補(ピック)に基づくもので、１つ以上の他の選択候補は、１人以上の独立したユーザの以前の同じサーチセッションにおいて発行される、請求項１に記載の方法。
【請求項３】
前記発行された選択候補(ピック)に関して１つ以上の独立したユーザのサーチエンジンアクティビティ情報を相関するステップであって、そのサーチエンジンアクティビティ情報が各々の独立したユーザの同じサーチセッションに関するものであるステップを更に備えた、請求項２に記載の方法。
【請求項４】
前記関連付けられた選択候補(ピック)は、問合せに対応するサーチ結果と同様のサーチ結果に対応する、請求項１に記載の方法。
【請求項５】
前記関連付けられた選択候補(ピック)に対応するサーチ結果と、前記問合せに対応するサーチ結果は、同じフォーマットである、請求項４に記載の方法。
【請求項６】
前記フォーマットは、ウェブページと、ドキュメントと、ディレクトリーと、データベースと、スプレッドシートと、ニュースアイテムと、オーディオと、ビデオと、イメージと、アプリケーションと、広告と、製品説明と、参照情報と、リスト、テーブル、ツリー又はそのカタログへのリンクとで構成されたグループから選択される、請求項５に記載の方法。
【請求項７】
サーバーとユーザコンピュータとがネットワークを介して接続された処理システムで実行される方法であって、
同じサーチセッション中に発行された複数の選択候補(ピック)を関連付けるステップと、
前記ユーザコンピュータが、対応する１組のサーチ結果を有する問合せをユーザから受信するステップと、
前記サーバーが、前記関連付けられた選択候補に基づいて１組の同様のサーチ結果を決定するステップと、
前記ユーザコンピュータが、前記１組の同様のサーチ結果のうちの１つ以上のサーチ結果を参照するユーザ要求を受信するステップと、
前記サーバーは、前記ネットワークを介して前記ユーザ要求により参照された１つ以上のサーチ結果を前記ユーザコンピュータに転送し前記ユーザに提供するステップと、
を備えた方法。
【請求項８】
同じユーザセッション中に発行された複数の選択候補(ピック)を関連付ける前記ステップは、１人以上の独立したユーザの以前の同じサーチセッション中に発行された選択候補を関連付けることを含む、請求項７に記載の方法。
【請求項９】
前記発行された選択候補(ピック)に関して１人以上の独立したユーザのサーチエンジンアクティビティ情報を相関するステップを更に備え、このサーチエンジンアクティビティ情報は、各独立したユーザの同じサーチセッションに関するものである、請求項８に記載の方法。
【請求項１０】
前記関連付けられた選択候補(ピック)は、問合せに対応するサーチ結果と同様のサーチ結果に対応する、請求項７に記載の方法。
【請求項１１】
前記関連付けられた選択候補(ピック)に対応するサーチ結果と、前記問合せに対応するサーチ結果は、同じフォーマットである、請求項１０に記載の方法。
【請求項１２】
前記フォーマットは、ウェブページと、ドキュメントと、ディレクトリーと、データベースと、スプレッドシートと、ニュースアイテムと、オーディオと、ビデオと、イメージと、アプリケーションと、広告と、製品説明と、参照情報と、リスト、テーブル、ツリー又はそのカタログへのリンクとで構成されたグループから選択される、請求項１１に記載の方法。
【請求項１３】
プロセッサにより実行されマシン読み取り可能な記録媒体であって、前記プロセッサに、
同じサーチセッション中に発行された複数の選択候補(ピック)を関連付け、
対応する１組のサーチ結果を有するユーザからの問合せを受信し、
前記関連付けられた選択候補に基づいて１組の同様のサーチ結果を決定し、
前記１組の同様のサーチ結果のうちの１つ以上のサーチ結果を参照するユーザ要求を受信し、
前記ユーザ要求により参照された１つ以上のサーチ結果を前記ユーザに提供する、
各処理を実行させるための命令を記録したマシン読み取り可能な記録媒体。
【請求項１４】
同じユーザセッション中に発行された複数の選択候補(ピック)を関連付ける前記ステップは、１人以上の独立したユーザの以前の同じサーチセッション中に発行された選択候補を関連付けることを含む、請求項１３に記載のマシン読み取り可能な記録媒体。
【請求項１５】
前記発行された選択候補(ピック)に関して１人以上の独立したユーザのサーチエンジンアクティビティ情報を相関するステップを更に備え、このサーチエンジンアクティビティ情報は、各独立したユーザの同じサーチセッションに関するものである、請求項１４に記載のマシン読み取り可能な記録媒体。
【請求項１６】
前記関連付けられた選択候補(ピック)は、問合せに対応するサーチ結果と同様のサーチ結果に対応する、請求項１３に記載のマシン読み取り可能な記録媒体。
【請求項１７】
前記関連付けられた選択候補(ピック)に対応するサーチ結果と、前記問合せに対応するサーチ結果は、同じフォーマットである、請求項１６に記載のマシン読み取り可能な記録媒体。
【請求項１８】
前記フォーマットは、ウェブページと、ドキュメントと、ディレクトリーと、データベースと、スプレッドシートと、ニュースアイテムと、オーディオと、ビデオと、イメージと、アプリケーションと、広告と、製品説明と、参照情報と、リスト、テーブル、ツリー又はそのカタログへのリンクとで構成されたグループから選択される、請求項１７に記載のマシン読み取り可能な記録媒体。
【請求項１９】
同じユーザセッション中に受け取った複数の選択候補(ピック)を関連付け、対応する１組のサーチ結果を有する問合せを受信し、前記関連付けられた選択候補に基づいて１組の同様のサーチ結果を決定し、前記１組の同様のサーチ結果のうちの１つ以上のサーチ結果を参照するユーザ要求を受信し、そして前記要求により参照された１つ以上のサーチ結果を通信するためのサーバーデジタル処理システム（ＤＰＳ）と、
前記要求により参照された１つ以上のサーチ結果を１人以上のユーザにプレゼンテーションし、そしてユーザ応答を前記サーバーＤＰＳへ通信するための１つ以上のクライアントＤＰＳと、
を備えたシステム。
【請求項２０】
前記関連付けは選択候補(ピック)に基づくもので、１つ以上の他の選択候補は、１人以上の独立したユーザの以前の同じサーチセッションにおいて発行される、請求項１９に記載のシステム。
【請求項２１】
前記発行された選択候補(ピック)に関して１つ以上の独立したユーザのサーチエンジンアクティビティ情報を相関するステップであって、そのサーチエンジンアクティビティ情報が各々の独立したユーザの同じサーチセッションに関するものであるステップを更に備えた、請求項２０に記載のシステム。
【請求項２２】
前記関連付けられた選択候補(ピック)は、問合せに対応するサーチ結果と同様のサーチ結果に対応する、請求項１９に記載のシステム。
【請求項２３】
前記関連付けられた選択候補(ピック)に対応するサーチ結果と、前記問合せに対応するサーチ結果は、同じフォーマットである、請求項２２に記載のシステム。
【請求項２４】
前記フォーマットは、ウェブページと、ドキュメントと、ディレクトリーと、データベースと、スプレッドシートと、ニュースアイテムと、オーディオと、ビデオと、イメージと、アプリケーションと、広告と、製品説明と、参照情報と、リスト、テーブル、ツリー又はそのカタログへのリンクとで構成されたグループから選択される、請求項２３に記載のシステム。
【請求項２５】
サーバーとユーザコンピュータとがネットワークを介して接続された処理システムで実行される方法であって、
前記ユーザコンピュータが、１つ以上の結果ＵＲＬを有するサーチ結果に対応するユーザからの問合せを受信するステップと、
前記サーバーが、前記結果ＵＲＬの少なくとも１つをユーザサーチエンジン・アクティビティ情報と関連付けるステップであって、このユーザサーチエンジン・アクティビティ情報は、各結果ＵＲＬを、その結果ＵＲＬを選択する選択候補(ピック)が発行された同じサーチセッション中に受け取られた１つ以上の問合せに関連付ける当該ステップと、
少なくとも１つの結果ＵＲＬを含むサーチ結果、及びその少なくとも１つの結果ＵＲＬに関連した問合せを提供するステップと、
を備えた方法。
【請求項２６】
各結果ＵＲＬと１つ以上の問合せとの関連付けを行うために、１人以上の独立したユーザのサーチセッションに関連付ける、請求項２５に記載の方法。
【請求項２７】
前記ユーザサーチエンジン情報は選択候補(ピック)対問合せの情報である、請求項２６に記載の方法。
【請求項２８】
結果ＵＲＬに関連付けられた１つ以上の問合せが結果ＵＲＬに密接に関係される、請求項２６に記載の方法。
【請求項２９】
プロセッサにより実行されマシン読み取り可能な記録媒体であって
前記プロセッサに、
１つ以上の結果ＵＲＬを有するサーチ結果に対応する問合せをユーザから受信し、
前記結果ＵＲＬの少なくとも１つをユーザサーチエンジン・アクティビティ情報と関連付けるものであって、このユーザサーチエンジン・アクティビティ情報は、各結果ＵＲＬを、その結果ＵＲＬを選択する選択候補(ピック)が発行された同じサーチセッション中に受け取られた１つ以上の問合せに関連付けることを特徴とし、
少なくとも１つの結果ＵＲＬを含むサーチ結果、及びその少なくとも１つの結果ＵＲＬに関連した問合せを提供する、
各処理を実行させるための命令を記録したマシン読み取り可能な記録媒体。
【請求項３０】
各結果ＵＲＬと１つ以上の問合せとの関連付けを行うために、１人以上の独立したユーザのサーチセッションに関連付ける、請求項２９に記載のマシン読み取り可能な記録媒体。
【請求項３１】
前記ユーザサーチエンジン情報は選択候補(ピック)対問合せ情報である、請求項３０に記載のマシン読み取り可能な記録媒体。
【請求項３２】
結果ＵＲＬに関連付けられた１つ以上の問合せが結果ＵＲＬに密接に関係される、請求項３０に記載のマシン読み取り可能な記録媒体。
【請求項３３】
１つ以上の結果ＵＲＬを有するサーチ結果に対応する問合せをユーザから受信し、そして前記各結果ＵＲＬを、その結果ＵＲＬを選択する選択候補(ピック)が発行された同じサーチセッション中に受け取られた１つ以上の問合せに関連付けるユーザサーチエンジン・アクティビティ情報を、前記結果ＵＲＬの少なくとも１つに関連付ける、
サーバーデジタル処理システム（ＤＰＳ）と、
少なくとも１つの結果ＵＲＬを含むサーチ結果及びその少なくとも１つの結果ＵＲＬに関連した問合せをプレゼンテーションし、そしてユーザ応答を前記サーバーＤＰＳに通信するための１つ以上のクライアントＤＰＳと、
を備えたシステム。
【請求項３４】
各結果ＵＲＬと１つ以上の問合せとの関連付けを行うために、１人以上の独立したユーザのサーチセッションに関連付ける、請求項３３に記載のシステム。
【請求項３５】
前記ユーザサーチエンジン情報は選択候補(ピック)対問合せ情報である、請求項３４に記載のシステム。
【請求項３６】
結果ＵＲＬに関連付けられた１つ以上の問合せが結果ＵＲＬに密接に関係される、請求項３４に記載のシステム。